(57)【特許請求の範囲】
【請求項１】
第１の動作モードと第２の動作モードから選択することであって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有し、前記既定の関係は、前記第１および第２のパラメータのセットにおけるパラメータ間の既定の差分を表す整数の倍数によって決められる関係である、ことと、
現在の動作モードが、選択された動作モードと異なる場合に、前記既定の関係にしたがって、少なくとも１つのデバイスの設定を変更することであって、前記少なくとも１つのデバイスの設定変更は、前記第１および第２のパラメータのセットにおけるパラメータ間の既定の差分を表す整数の倍数による、前記第１の通信デバイスにおける制御パラメータの変更を含み、前記少なくとも１つのデバイスの設定変更は、発振器のレート変更、タイミングの変更、または周波数の変更のうちの１つであり、前記発振器のレート変更、前記タイミングの変更、または前記周波数の変更は、前記第１の動作モードから前記第２の動作モードへスイッチするときに、第２の通信デバイスから前記第１の周波数帯域において受信された信号に基づいて行われた、前記第１の通信デバイスの以前の調整をアンドゥーせずに、前記第１の通信デバイスが前記第２の動作モードで動作するように、前記第１の通信デバイスの調整を行うことを含み、前記変更は、前記第１のパラメータのセットにおける対応するパラメータの整数の倍数によるものである、ことと
を含む、第１の通信デバイスを動作する方法。
【請求項２】
前記少なくとも１つのデバイス設定変更を行うことが、
前記現在の動作モードから前記選択された動作モードへのスイッチを行うために、前記既定の関係に基づいた量だけ、通信デバイスの動作を制御するために使用される少なくとも１つの制御パラメータを変更すること
を含む、請求項１に記載の方法。
【請求項３】
前記調整は、第１の通信デバイスの周波数調整動作、または第１の通信デバイスのタイミング調整のうちの少なくとも１つである、請求項１に記載の方法。
【請求項４】
前記少なくとも１つのデバイス設定変更が、前記発振器のレート変更であり、前記発振器のレート変更は、前記第１の通信デバイスの以前の発振器のレート変更をアンドゥーせずに、サンプリングを制御するために使用される発振器の前記レートを減少または増加させることを含む、請求項１に記載の方法。
【請求項５】
前記第１の動作モードは、前記第１の周波数帯域における通信がサポートされた通信動作モードであり、
前記第２の動作モードは、前記第２の周波数帯域における通信がサポートされた通信動作モードである
請求項１に記載の方法。
【請求項６】
前記選択された動作モードが前記第２の動作モードである場合に、
前記第２の動作モードにおいて動作しながら、第３の通信デバイスと通信することであって、前記第１の通信デバイスの周波数調整および第１の通信デバイスのタイミング調整のうちの少なくとも１つと、前記少なくとも１つのデバイス設定変更にしたがって、通信すること
をさらに含む、請求項５に記載の方法。
【請求項７】
前記第３の通信デバイスへのデータの通信に先立って、前記信号が受信された前記第２の通信デバイスに、前記第１の動作モードで動作しながら、前記第１の周波数帯域において、データを送信すること
をさらに含む、請求項６に記載の方法。
【請求項８】
前記第１および第２の周波数帯域が重複しない周波数帯域である、請求項６に記載の方法。
【請求項９】
前記第１の動作モードは、ワイドエリアネットワーク動作モードであり、
前記第２の動作モードは、ローカルエリアネットワーク動作モードである
請求項８に記載の方法。
【請求項１０】
前記ローカルエリアネットワーク動作モードが、ピアツーピア動作モードである、請求項９に記載の方法。
【請求項１１】
第１の動作モードと第２の動作モードから選択し、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有し、前記既定の関係は、前記第１および第２のパラメータのセットにおけるパラメータ間の既定の差分を表す整数の倍数によって決められる関係であり、
現在の動作モードが、選択された動作モードと異なる場合に、前記既定の関係にしたがって、少なくとも１つのデバイスの設定を変更し、前記少なくとも１つのデバイスの設定変更は、前記第１および第２のパラメータのセットにおけるパラメータ間の既定の差分を表す整数の倍数による、前記第１の通信デバイスにおける制御パラメータの変更を含み、前記少なくとも１つのデバイスの設定変更は、発振器のレート変更、タイミングの変更、または周波数の変更のうちの１つであり、前記発振器のレート変更、前記タイミングの変更、または前記周波数の変更は、前記第１の動作モードから前記第２の動作モードへスイッチするときに、第２の通信デバイスから前記第１の周波数帯域において受信された信号に基づいて行われた、前記第１の通信デバイスの以前の調整をアンドゥーせずに、前記第１の通信デバイスが前記第２の動作モードで動作するように、前記第１の通信デバイスの調整を行うことを含み、前記変更は、前記第１のパラメータのセットにおける対応するパラメータの整数の倍数によるものである、
ように構成された、少なくとも１つのプロセッサと、
前記少なくとも１つのプロセッサに結合されたメモリと
を含む、第１の通信デバイス。
【請求項１２】
前記少なくとも１つのプロセッサが、
前記現在の動作モードから前記選択された動作モードへのスイッチを行うために、前記既定の関係に基づいた量だけ、通信デバイスの動作を制御するために使用される少なくとも１つの制御パラメータを変更する
ようにさらに構成されている、請求項１１に記載の第１の通信デバイス。
【請求項１３】
前記調整は、第１の通信デバイスの周波数調整動作、または第１の通信デバイスのタイミング調整のうちの少なくとも１つである、請求項１１に記載の第１の通信デバイス。
【請求項１４】
前記少なくとも１つのデバイス設定変更が、前記発振器のレート変更であり、前記発振器のレート変更は、前記第１の通信デバイスの以前の発振器のレート変更をアンドゥーせずに、サンプリングを制御するために使用される発振器の前記レートを減少または増加させることを含む、請求項１１に記載の第１の通信デバイス。
【請求項１５】
前記第１の動作モードは、前記第１の周波数帯域における通信がサポートされた通信動作モードであり、
前記第２の動作モードは、前記第２の周波数帯域における通信がサポートされた通信動作モードである
請求項１１に記載の第１の通信デバイス。
【請求項１６】
前記選択された動作モードが前記第２の動作モードである場合に、前記少なくとも１つのプロセッサが、
前記第１の通信デバイスの周波数調整および第１の通信デバイスのタイミング調整のうちの少なくとも１つと、前記少なくとも１つのデバイス設定変更にしたがって、前記第２の動作モードにおいて動作しながら、第３の通信デバイスと通信する
ようにさらに構成されている、請求項１５に記載の第１の通信デバイス。
【請求項１７】
前記少なくとも１つのプロセッサが、
前記第３の通信デバイスへのデータの通信に先立って、前記信号が受信された前記第２の通信デバイスに、前記第１の動作モードで動作しながら、前記第１の周波数帯域において、データを送信する
ようにさらに構成されている、請求項１６に記載の第１の通信デバイス。
【請求項１８】
第１の動作モードと第２の動作モードから選択するための手段であって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有し、前記既定の関係は、前記第１および第２のパラメータのセットにおけるパラメータ間の既定の差分を表す整数の倍数によって決められる関係である、手段と、
現在の動作モードが、選択された動作モードと異なる場合に、前記既定の関係にしたがって、少なくとも１つのデバイスの設定を変更するための手段であって、前記少なくとも１つのデバイスの設定変更は、前記第１および第２のパラメータのセットにおけるパラメータ間の既定の差分を表す整数の倍数による、前記第１の通信デバイスにおける制御パラメータの変更を含み、前記少なくとも１つのデバイスの設定変更は、発振器のレート変更、タイミングの変更、または周波数の変更のうちの１つであり、前記発振器のレート変更、前記タイミングの変更、または前記周波数の変更は、前記第１の動作モードから前記第２の動作モードへスイッチするときに、第２の通信デバイスから前記第１の周波数帯域において受信された信号に基づいて行われた、前記第１の通信デバイスの以前の調整をアンドゥーせずに、前記第１の通信デバイスが前記第２の動作モードで動作するように、前記第１の通信デバイスの調整を行うことを含み、前記変更は、前記第１のパラメータのセットにおける対応するパラメータの整数の倍数によるものである、手段と
を含む、第１の通信デバイス。
【請求項１９】
前記少なくとも１つのデバイス設定変更を行うための手段が、
前記現在の動作モードから前記選択された動作モードへのスイッチを行うために、前記既定の関係に基づいた量だけ、通信デバイスの動作を制御するために使用される少なくとも１つの制御パラメータを変更するための手段
を含む、請求項１８に記載の第１の通信デバイス。
【請求項２０】
前記調整は、第１の通信デバイスの周波数調整動作、または第１の通信デバイスのタイミング調整のうちの少なくとも１つである、請求項１８に記載の第１の通信デバイス。
【請求項２１】
前記少なくとも１つのデバイス設定変更が、前記発振器のレート変更であり、前記発振器のレート変更は、前記第１の通信デバイスの以前の発振器のレート変更をアンドゥーせずに、サンプリングを制御するために使用される発振器の前記レートを減少または増加させることを含む、請求項１８に記載の第１の通信デバイス。
【請求項２２】
前記第１の動作モードは、前記第１の周波数帯域における通信がサポートされた通信動作モードであり、
前記第２の動作モードは、前記第２の周波数帯域における通信がサポートされた通信動作モードである
請求項１８に記載の第１の通信デバイス。
【請求項２３】
前記選択された動作モードが前記第２の動作モードである場合に、前記第１の通信デバイスの周波数調整および第１の通信デバイスのタイミング調整のうちの少なくとも１つと、前記少なくとも１つのデバイス設定変更にしたがって、前記第２の動作モードにおいて動作しながら、第３の通信デバイスと通信するための手段
をさらに含む、請求項２２に記載の第１の通信デバイス。
【請求項２４】
前記第３の通信デバイスへのデータの通信に先立って、前記信号が受信された前記第２の通信デバイスに、前記第１の動作モードで動作しながら、前記第１の周波数帯域において、データを送信するための手段
をさらに含む、請求項２３に記載の第１の通信デバイス。
【請求項２５】
第１の動作モードと第２の動作モードから選択するように少なくとも１つのコンピュータにさせるためのコードであって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有し、前記既定の関係は、前記第１および第２のパラメータのセットにおけるパラメータ間の既定の差分を表す整数の倍数によって決められる関係である、コードと、
現在の動作モードが、選択された動作モードと異なる場合に、前記既定の関係にしたがって、少なくとも１つのデバイスの設定を変更するように前記少なくとも１つのコンピュータにさせるためのコードであって、前記少なくとも１つのデバイスの設定変更は、前記第１および第２のパラメータのセットにおけるパラメータ間の既定の差分を表す整数の倍数による、前記第１の通信デバイスにおける制御パラメータの変更を含み、前記少なくとも１つのデバイスの設定変更は、発振器のレート変更、タイミングの変更、または周波数の変更のうちの１つであり、前記発振器のレート変更、前記タイミングの変更、または前記周波数の変更は、前記第１の動作モードから前記第２の動作モードへスイッチするときに、第２の通信デバイスから前記第１の周波数帯域において受信された信号に基づいて行われた、前記第１の通信デバイスの以前の調整をアンドゥーせずに、前記第１の通信デバイスが前記第２の動作モードで動作するように、前記第１の通信デバイスの調整を行うことを含み、前記変更は、前記第１のパラメータのセットにおける対応するパラメータの整数の倍数によるものである、コードと
を記憶している、コンピュータ可読記憶媒体。
【請求項２６】
前記コンピュータ可読記憶媒体が、
前記現在の動作モードから前記選択された動作モードへのスイッチを行うために、前記既定の関係に基づいた量だけ、通信デバイスの動作を制御するために使用される少なくとも１つの制御パラメータを変更するように、前記少なくとも１つのコンピュータにさせるためのコード
をさらに記憶している、請求項２５に記載のコンピュータ可読記憶媒体。
【発明の詳細な説明】
【技術分野】
【０００１】
本願は、無線通信方法および装置に関し、より詳細には、たとえば、異なるパラメータおよび／または周波数帯域が、異なる動作モードで使用される、複数の通信動作モードをサポートするための方法および装置に関する。
【背景技術】
【０００２】
無線通信システムは、通常、基地局等のアクセスルータよりもアクセス端末、たとえば、移動通信デバイスを多く含む。通信システムが商業的に成功するためには、アクセス端末が妥当なコストのものである必要があり、より低コストのアクセス端末は、高価格のアクセス端末よりも、より多数の消費者に端末を入手可能にさせる。個々のアクセス端末を広範な個々のユーザーに入手可能にさせ続ける努力は、アクセス端末における安価なコンポーネントの使用を促進する、価格の圧力という結果をもたらす。対照的に、基地局は複数のユーザーによって使用されるため、基地局のコストは、価格による影響を受けにくい。その結果、より正確で、しばしば、よりコストのかかるコンポーネントが、アクセス端末よりも基地局において使用される。
【０００３】
このように、コスト的な理由で、たとえば、比較的安価で少しばかり不正確な、電圧制御された発振器および／または他の回路が、アクセス端末で使用され得る。これは、不正確さの検出を許容するのに十分な入力を想定し、電圧制御された発振器または他のコンポーネントへの制御入力、たとえば電圧を調整することによって通常は修正可能な、クロックおよび／または周波数エラーを表示するアクセス端末という結果をもたらし得る。高品質のコンポーネントを有する基地局を含む通信システム、たとえば、最も商業的なセルラーシステムでは、アクセス端末のコンポーネントの不正確さに起因するアクセス端末からの干渉を回避するために、アクセス端末は、アクセス端末における不正確さを検出および／または調整するためにアクセス端末によって使用される、セルラーネットワークにおけるアクセスルータからのタイミングおよび／または他の信号を、通常受信する。受信された信号に基づき、それらが、同報パイロット信号であろうと、同報ビーコン信号であろうと、または個々のアクセス端末に向けられた特定の信号であろうと、アクセスルータを必然的に含むクローズドループ制御プロセスの一部として、アクセス端末は、修正動作、たとえば、調整を通常行うので、その動作タイミングおよび／または周波数は、セルラーシステムにおけるアクセスルータのそれと一致する。そのような調整が、電圧制御された発振器の電圧を変更すること、および／または、他の調整を行うことにより行われることができるので、アクセス端末は、そのような調整がセルラーシステムにおけるアクセスルータから受信された信号に基づいて行われなかった場合よりも、確実かつ正確に動作する。
【０００４】
非常に正確なアクセスルータが、免許が付与されたスペクトル、たとえば、免許が付与された周波数帯域を使用する最も商業的なセルラーシステムに通常存在する一方で、免許が付与されていないスペクトルでは、アクセスルータは、たとえば、それらが相互に作用するアクセス端末よりも不正確であり得る、低コストの基地局である場合もある。さらに、ピアツーピアシステムにおいて、アクセスルータは完全に省略される場合もあり、および／または、ピアツーピアデバイスが、正確なタイミングまたは周波数基準信号として使用されることを意図した信号を伝送しない場合もある。そのようなアプローチは、免許が付与されていないスペクトルの場合、ユーザーはスペクトルの代金を払わないので、コストの観点から許容可能でありうるし、かつ、デバイスの不正確さによる干渉によって生じる全体的な非効率性は、免許が付与されていないスペクトルの個々のユーザーの関心事でないかもしれない。しかしながら、安価なアクセス端末、アクセスルータおよび／またはピアツーピアデバイスの使用による、システムにおける全体的な通信スループットの低下の重大さは、そのようなデバイスが、免許が付与されたスペクトルにおいて使用されると、免許が付与されたスペクトルのコストを理由に、増加し始める。また、全体的な通信システムのスループットの低下の重大さは、免許が付与されていないスペクトルが、さらに密集するようになり始めると、他のデバイスに生じる干渉を減少させ、免許が付与されていないスペクトルにおける通信がより信頼性のあるものとなるようにすることが、免許が付与されていないスペクトルのユーザーの一般的な関心事になり、より重大になり始める。
【０００５】
上記を鑑みて、たとえば、免許が付与されたスペクトルを使用する、セルラーシステムにおいてアクセスルータによって伝送され得る確実かつ正確な信号に基づいて行われる調整の利点をさらに得つつ、低コストの通信デバイスが使用されるようにする方法および装置のニーズがあるということが理解されるべきである。
【発明の概要】
【０００６】
複数の通信動作モードをサポートするための方法および装置が説明される。
【０００７】
少なくとも１つの例示的な実施形態は、第１の動作モードと第２の動作モードから選択することであって、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有する、ことと、現在の動作モードが、選択された動作モードと異なる場合に、既定の関係にしたがって、少なくとも１つのデバイスの設定を変更することとを含む方法による、第１の通信デバイスを動作する方法に向けられている。この方法は、第１のパラメータのセットにおけるパラメータにしたがって動作するように、第１の通信デバイスを調整するために、第２の通信デバイスから第１の周波数帯域において受信された信号に基づいて、調整動作を行うことを含むことができる。
【０００８】
ある例示的な実施形態にしたがい、第１の通信デバイスは、第１の動作モードと第２の動作モードから選択し、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有し、現在の動作モードが、選択された動作モードと異なる場合に、既定の関係にしたがって、少なくとも１つのデバイスの設定を変更するように構成された、少なくとも１つのプロセッサを含む。例示的な実施形態において、第１の通信デバイスは、さらに、少なくとも１つのプロセッサに結合されたメモリを含む。
【０００９】
例示的な方法および装置に加えて、さまざまな態様は、第１の動作モードと第２の動作モードから選択するように少なくとも１つのコンピュータにさせるためのコードであって、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有する、コードと、現在の動作モードが、選択された動作モードと異なる場合に、既定の関係にしたがって、少なくとも１つのデバイスの設定を変更するように少なくとも１つのコンピュータにさせるためのコードとを含む、コンピュータ可読媒体を含む、第１の通信デバイスにおいて使用するためのコンピュータプログラム製品に向けられている。
【００１０】
いくつかの例示的な実施形態にしたがい、通信デバイス、たとえば、アクセス端末でありうる第１の通信デバイスは、第２の通信デバイスから、第１の通信帯域において１つ以上の信号を受信する。第２の通信デバイスは、必ずしもすべてではないが、いくつかの実施形態において、アクセスルータ、たとえば、免許が付与されている周波数帯域を使用するセルラー通信システムにおける基地局であることができる。信号は、たとえば、パイロット信号またはビーコン信号といった同報信号、または、クローズドループ制御信号であってもよい。ある例において、第１の通信デバイスが第２の通信デバイスとの通信を確立していない場合、第１の通信デバイスは、タイミング、サンプリングクロック、または周波数の統合を調整するために、受信された同報信号に基づいて、オープンループ同期動作を実行することができる。別の例において、第１の通信デバイスが第２の通信デバイスとの通信を確立している場合、第２の通信デバイスは、第１の通信デバイスから１つ以上の信号を受信することができ、第１の通信デバイスにおける通信に関連した調整を促進または生じさせるために、第１の通信デバイスに、タイミング調整、パワー制御、または他のクローズドループ制御信号を送ることによって応答することができる。第２の通信デバイスから受信された１つ以上の信号に基づいて、第１の通信デバイスは、調整、たとえば、電圧制御された水晶発振器の調整、送信パワーの調整、および／または周波数の調整を行う。この調整は、第１のデバイスが、信号が第２の通信デバイスから受信された第１の周波数帯域において通信するために使用された１つ以上の通信パラメータにしたがって、動作するように、第１のデバイスの動作を変更する。このように、第１の通信デバイスは、第２の通信デバイスから受信された１つ以上の信号に基づいて、デバイスの校正（calibration）および／または調整動作を行うことが可能であり、それによって、１つ以上の低コストの発振器といった低コストのコンポーネントの使用に起因しうる不正確さを修正する。
【００１１】
第２の通信デバイスから受信された１つ以上の信号に基づいて、調整、たとえば、電圧制御された発振器の電圧制御調整を行うと、第１の通信デバイスは、たとえば、第１の動作モードで動作して通信し始めることができる。第１の動作モードにおいて、第１の通信デバイスは、いくつかの実施形態において、第１の通信パラメータのセット、たとえば、トーンスペーシング（tone spacing）、周波数および／またはタイミングパラメータに従い、第１の通信帯域において、信号を送信および／または受信することにより、第２の通信デバイスと通信することができる。あるいは、１つ以上の受信された信号に基づいて調整を行った後、第１の通信デバイスは、それが第２の周波数帯域において第２の通信パラメータのセットを使用して通信する第２の動作モードに、スイッチすることができる。
【００１２】
第２の動作モードにおける通信は、第１の通信デバイスが第１の動作モードの間に従う第１の通信規格とは異なる第２の通信規格に従いうる。第２の通信デバイスから受信された１つの信号または複数の信号に基づいた、デバイス動作における１つ以上の調整を利用するために、第２の動作モードへのスイッチは、第２の通信デバイスから受信された１つの信号または複数の信号に基づいて行われた調整をアンドゥーする（undoing）ことなく、１つ以上のデバイス動作パラメータを変更することを含む。いくつかの実施形態において、第２の通信パラメータのセットは、第１のパラメータのセットにおけるパラメータと既定の関係を有するパラメータを含む。たとえば、トーンスペーシング、デバイスクロックスピード、および／または、パラメータで表される１つ以上の他の動作の制約は、第１の動作モードにおいて使用された、対応するパラメータの不変で既知の倍数でありうる。第１の動作モードの間に行われたタイミングまたは周波数の任意のシフトまたは調整は、第２の動作モードにおいて依然として適用可能のままであり、第１のモードから第２のモードへのスイッチは、第１のパラメータのセットにおける１つ以上のパラメータにデバイスの動作を適合させるために行われた調整をなおも利用する一方で、１つ以上の制御パラメータの簡単な変更を行うことによって行われる。たとえば、第２のパラメータのセットにおいて使用されるサンプリングレートおよびトーンスペーシングは、第１のパラメータのセットにおいて使用されたものの２倍であることもでき、第１のモードから第２のモードへの変更は、それが第１のパラメータのセットに従うように校正（calibrated）および／または調整された後に、因数２によってサンプリングレートおよびトーンスペーシングを単に変更することによって行われる。
【００１３】
本実施形態によると、第１の動作モードはワイドエリアネットワーク動作モードでありうる一方、第２の動作モードは、ローカルエリアネットワーク動作モードでありうる。いくつかの実施形態において、第１の動作モードは、セルラー動作モードである一方、第２の動作モードは、ピアツーピア動作モードである。第１および第２の動作モードは、２つの異なる（たとえば、重複していない）周波数帯域におけるものでありうる。たとえば、第１の動作モードは、免許が付与された帯域でありうる一方、第２の動作モードは、免許が付与されていない帯域でありうる。別の実施形態において、第１および第２の動作モードは、両方とも免許が付与された帯域にあるが、オペレータは異なる。第１および第２の動作モードについての他のオプションも可能である。
【００１４】
ある例示的な実施形態は、第１の動作モードと第２の動作モードから選択することであって、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有する、ことと、現在の動作モードが、選択された動作モードと異なる場合に、既定の関係にしたがって、少なくとも１つのデバイスの設定を変更することとを含む、第１の通信デバイスを動作する方法に向けられている。
【００１５】
例示的な通信デバイスは、必ずしもすべてではないが、ある実施形態において、第１の動作モードと第２の動作モードから選択するための手段であって、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有する、手段と、現在の動作モードが、選択された動作モードと異なる場合に、既定の関係にしたがって、少なくとも１つのデバイスの設定を変更するための手段とを含む。
【００１６】
第１の通信デバイスにおいて使用される例示的なコンピュータプログラム製品は、第１の動作モードと第２の動作モードから選択するように少なくとも１つのコンピュータにさせるためのコードであって、第１の動作モードは、第１の周波数帯域において通信するときに、第１の通信デバイスを動作するために、第１のパラメータのセットを使用し、第２の動作モードは、第２の周波数帯域において通信するときに、第１の通信デバイスを動作するために、第２のパラメータのセットを使用し、第２のパラメータのセットは、第１のパラメータのセットと既定の関係を有する、コードと、現在の動作モードが、選択された動作モードと異なる場合に、既定の関係にしたがって、少なくとも１つのデバイスの設定を変更するように少なくとも１つのコンピュータにさせるためのコードとを含む、コンピュータ可読媒体を含む。
【００１７】
さまざまな実施形態が、上記の概要で論じられたが、必ずしもすべての実施形態が、同一の特徴を含むわけではなく、上述された特徴のいくつかは、いくつかの実施形態において、必要ではないが、所望されうるということが、理解されるべきである。多数の追加の特徴および実施形態が、以下の詳細な説明で論じられる。
【図面の簡単な説明】
【００１８】
【図１】例示的な実施形態にしたがって実現される例示的な通信システムを示す図である。
【図２】図１のシステムの通信デバイスによって使用されうる周波数リソースを含む例示的な第１および第２の周波数帯域を示す図である。
【図３】ある例示的な実施形態に係る、第１の通信デバイスを動作する例示的な方法のステップを示すフローチャートである。
【図４】図１のシステムにおいて使用されうる例示的な通信デバイスを示す図である。
【図５】図４の例示的な通信デバイスにおいて使用されうるモジュールのアセンブリを示す図である。
【詳細な説明】
【００１９】
図１は例示的な通信システム１００を示している。システム１００は、ワイドエリアネットワーク（ＷＡＮ）１０１として構成されている。ＷＡＮネットワーク１０１による通信のサポートに加え、デバイスは、さらに、ローカルエリアネットワーク（ＬＡＮｓ）、たとえば、ＷＡＮおよび／または他のデバイスの要素のサブセットを含みうるピアツーピア通信（Ｐ２Ｐ）ネットワーク１０３をサポートすることもできる。例示的な通信システム１００は、複数の通信デバイス、たとえば、通信デバイスＡ １０２，通信デバイスＢ １０４，．．．．，通信デバイスＮ １１０，およびアクセスルータＣ １０６、たとえば、基地局を含む。デバイス１０２乃至１１０の各々に取り付けられたアンテナによって示されているように、デバイスは、無線通信をサポートする。１つのアクセスルータ１０６が、通信ネットワーク１００において示されているが、通信ネットワークは、いくつかのアクセスルータを含むこともできる、および、含むこともあるということが理解されるべきである。アクセスルータＣ １０６は、無線通信インターフェースに加えて、有線のインターフェースをさらに含み、それは、アクセスルータＣ １０６を他のノードおよび／またはインターネットに結合する。さまざまな例示的な実施形態によると、ネットワーク１００におけるいくつかの通信デバイスは、ＷＡＮネットワーク１０１に関連づけられた通信規格に従って動作することができるとともに、ＬＡＮ１０３、たとえば、Ｐ２Ｐネットワーク１０３に関連づけられた通信規格を使用して動作することもできる。
【００２０】
アクセスルータＣ １０６は、信号１２０、たとえば、パイロット、ビーコン、および／または、クローズドループタイミング制御信号を送信する。クローズドループタイミング制御信号は、個々の通信デバイス１０２、１０４、１１０に向けられた信号であることができ、タイミング調整、たとえば、タイミングオフセットまたは発振周波数調整を行うように、特定のデバイスに指示する。発振周波数調整を行うために、通信デバイスは、たとえば、信号サンプリングレート、チップレート、および／または送信周波数を制御するために使用される電圧制御された水晶発振器に印加された制御電圧を変更しうる。クローズドループ制御信号は、アクセスルータＣ １０６への信号１１９に対応しうる。このように、ある例示的な実施形態によると、第１の通信デバイスＡ １０２は、ネットワーク１００における第２の通信デバイス、たとえば、アクセスルータＣ １０６から、第１の通信帯域（たとえば、第１の周波数帯域）において、信号、たとえば、信号１２０を受信する。信号１２０は、たとえば、アクセスルータＣ １０６によって同報されるパイロット信号でありうる。いくつかの実施形態において、信号１２０は、ビーコン信号および／またはクローズドループ制御信号でありうる。ある例示的な実施形態において、第１の通信デバイスＡ １０２は、たとえば、第１の通信デバイス１０２が信号１２０がアクセスルータＣ １０６から受信された第１の周波数帯域において通信するために使用された１つ以上のパラメータに従って動作するように、第１の通信デバイスＡ １０２の動作を変更するために、第１の周波数帯域において、受信された信号１２０に基づいて、調整動作を行う。いくつかの実施形態において、調整動作は、たとえば、電圧制御された発振器の調整、送信パワーの調整、および／または周波数の調整を含む。第１の通信デバイス１０２によってそのように行われた調整動作は、第１のデバイス１０２に、低コストの発振器および／または他の回路要素といった低コストのコンポーネントの使用により起こりうる不正確さを補正および／または修正することを、可能にさせる。アクセスルータＣ １０６から受信された１つの信号または複数の信号に基づいた調整／校正の結果、通信デバイスＡは、起こりうる低コストのコンポーネントの使用にも関わらず、第１のパラメータのセットにしたがって通信することが可能である。
【００２１】
第２の通信デバイス、たとえば、アクセスルータＣ １０６から受信された信号１２０に基づいた調整動作に続いて、第１の通信デバイス１０２は、第１の周波数帯域を使用して、第２のデバイス、たとえば、アクセスルータＣ １０６、または別のデバイスと、オプションで通信することができる。この通信は、第１の通信デバイス１０２が、たとえば、第１の動作モードにおいて動作する一方で、生じうる。第１の通信パラメータのセットは、トーンスペーシング、周波数、チップレート、信号サンプリングレート、および／またはタイミングパラメータを含む。このように、第１の通信デバイスＡ １０２がアクセスルータＣ １０６にトラフィックデータを通信することを所望するいくつかの実施形態において、第１のデバイスＡ １０２は、アクセスルータＣ １０６に、第１の動作モードで動作しながら、第１の周波数帯域において、トラフィックデータを送信しうる。いくつかの他の実施形態において、第２の通信デバイス１０６から受信された信号１２０に基づいた調整動作に続いて、第１の通信デバイスＡ １０２は、第１のデバイス１０２が、第２の周波数帯域において、第２の通信パラメータのセットにしたがって、第３の通信デバイス、たとえば、通信デバイスＢ １０４と通信する、第２の動作モードへのスイッチを選択するができる。アクセスルータＣ １０６から受信された信号に基づいて行われた調整／校正を利用するために、第２のパラメータのセットのうちの１つ以上は、第１のパラメータのセットから得られる。このように、第１のパラメータのセットに従うように行われた調整は、第２のパラメータのセットにスイッチするときに、依然として関連したままである。
【００２２】
図１に示されているように、いくつかの実施形態において、第１の通信デバイスＡ １０２は、第３の通信デバイス、たとえば、通信デバイスＢ １０４へ、信号１２１を送信し、第３の通信デバイス、たとえば、通信デバイスＢ １０４から、信号１２２を受信する。信号１２１、１２２は、ＷＡＮ通信のために使用される第１の周波数帯域と重複しうる、しかし、いくつかの実施形態では重複しない、ＬＡＮ通信のために使用される第２の周波数帯域におけるものでありうる。少なくともいくつかの実施形態において、信号１２１は、送信要求信号であることができ、信号１２２は、たとえば、第３の通信デバイスＢ １０４にデータを送信するための第１のデバイス１０２からの送信要求に応じる、送信要求応答信号であることができる。第１の通信デバイスは、第２の動作モードで動作しながら、第３の通信デバイスＢ １０４にトラフィックデータ１３３を通信することができる。
【００２３】
このように、図１に示された一例において、第１の通信デバイスＡ １０２は、たとえば、第１の時間期間の間、ＷＡＮネットワーク１００に関連づけられた、通信規格、第１の周波数帯域、および、通信および／または制御パラメータを使用して、第２の通信デバイス、すなわち、アクセスルータＣ １０６と通信するために、第１のモードで動作することができる。このように、いくつかの実施形態において、第１の動作モードは、ワイドエリアネットワーク（ＷＡＮ）動作モードである。たとえば、アクセスルータＣ １０６からの信号に基づいた調整動作に後続する、ある別の時間に、第１の通信デバイスＡ １０２は、ＬＡＮネットワーク１０３に関連づけられた、通信規格およびパラメータ、たとえば、通信および／または制御パラメータを使用して、第３の通信デバイス、たとえば、通信デバイスＢ １０４と通信するために、第２の動作モードで動作することができる。第２のモードにおける通信は、上記第１の時間期間に後続しうる、しかし、後続しなくてはならないわけではない、第２の時間期間の間であることができる。動作が続くと、第１の通信デバイスＡ １０２は、それが、どのデバイスと通信することを要求するかによって、第１および第２の動作モード間を行ったり来たりして変更しうる。いくつかの実施形態において、第２の動作モードは、ローカルエリアネットワーク（ＬＡＮ）動作モードである。
【００２４】
図２は、異なる動作モードで動作する第１の通信デバイス１０２によって使用されうる、周波数リソース、たとえば、トーンを含む、例示的な第１および第２の周波数帯域２０２、２０４の図２００であり、示されているように、周波数２０１が水平軸で表されている。
【００２５】
図２において示されているように、第１の周波数帯域２０２は、第１のトーン間隔（tone spacing）ＴＳ１ ２０５を有する、複数のＮ個のトーン、たとえば、トーン２１０，．．．，２２０を含む。さらに、第２の周波数帯域２０４は、 複数のＮ個のトーン、たとえば、トーン２３０，．．．，２４０を含む。第２の周波数帯域２０４におけるトーン間隔ＴＳ２ ２２５は、トーン間隔ＴＳ１ ２０５の既定の倍数、たとえば、図２に示された例示的な実施形態の場合には２といった整数の倍数である。帯域２０２、２０４はどちらも同数のトーンを有するように示されているが、これは必須ではない。さまざまな実施形態によると、第１の通信デバイス、たとえば、図１の通信デバイスＡ １０２は、第１のモードで動作しながら、第１の周波数帯域２０２を使用して、アクセスルータＣ １０６と通信することができる、および、通信することもある。しかしながら、第１の通信デバイスＡ １０２が、たとえば、第３の通信デバイスＢ １０４と通信するために、第２の動作モードにスイッチすると、第１の通信デバイス１０２は、第２の周波数帯域２０４を使用して通信する。少なくともいくつかの実施形態において、第２の周波数帯域２０４は、第１の周波数帯域との既定の関係を有する。たとえば、第２の周波数帯域は、たとえば、第１の周波数帯域の帯域幅の２倍といった倍数の帯域幅を有することができ、または、第２の周波数帯域２０４におけるトーン間隔ＴＳ２ ２２５は、第１の周波数帯域におけるトーン間隔ＴＳ１ ２０５の２倍であることができる。既定の関係が存在するため、第１の通信デバイスＡ １０２が、第１の動作モードから第２の動作モードへの遷移、たとえば、スイッチを行うときに、第１の通信デバイスＡ １０２は、第１の動作モードで動作するために、第１のデバイスＡ １０２について以前にすでに行われた可能性のある１つ以上の調整を利用することができる。たとえば、通信デバイスＡ １０２は、アクセスルータＣ １０６から受信された１つの信号または複数の信号に基づいて行われた最初の発振修正をアンドゥーせずに、サンプリングおよび／または送信周波数を制御するために使用される発振レートを単に減少または増加させるだけでよい。このように、第１のモードから第２の動作モードへスイッチするときに、第１の通信デバイスＡ １０２は、それが、第２の通信デバイス、すなわち、アクセスルータＣ １０６から受信された信号１２０に基づいて行われた、以前の調整をアンドゥーせずに、第２の動作モードで動作するように、調整を行うことができる。以前の調整、たとえば、第１の動作モードの間にタイミングおよび／または周波数において行われた任意のシフトは、第１および第２の周波数帯域間の既定の関係を考慮することにより１つ以上のパラメータにおいて行われる簡単な変更によって、第２のモードにおいて依然として有効なままである。
【００２６】
図２に示された第１および第２の周波数帯域２０２、２０４は、重複しない周波数帯域であるが、いくつかの実施形態において、第１および第２の周波数帯域２０２、２０４は、重複する周波数帯域である。論じられたように、第１の周波数帯域２０２は、ＷＡＮ通信に、第２の帯域２０４は、ＬＡＮ通信に、使用されることができる。
【００２７】
図３は、例示的な実施形態に係る、第１の通信デバイスを動作する例示的な方法のステップを示すフローチャート３００である。第１の通信デバイスは、たとえば、図１の通信デバイスＡ １０２であることができる。
【００２８】
動作は、ステップ３０２において開始され、たとえば、第１の通信デバイスＡ １０２は、電源が入り、初期化される。初期設定の段階の間は、第１の通信デバイスＡ １０２の現在の動作モードは、第１の動作モードに設定されているということが理解されるべきである。動作は、開始ステップ３０２からステップ３０４へ進む。
【００２９】
ステップ３０４において、第１の通信デバイス１０２は、信号、たとえば、信号１２０を、アクセスルータＣ １０６等の第２の通信デバイスから、第１の周波数帯域において、受信する。上述されたように、受信された信号１２０は、たとえば、パイロット信号、ビーコン信号、および／または制御信号であることができる。いくつかの実施形態において、たとえば、通信が第１の通信デバイス１０２と第２の通信デバイス１０６間で確立されている場合、信号１２０は、たとえば、第２のデバイス１０６が第１の通信デバイス１０２から受信したことがありうる１つ以上の信号に応じて、第２の通信デバイス１０６から第１のデバイス１０２へ通信された、タイミングまたは周波数調整を行うための命令といったタイミングおよび／または周波数調整信号、パワー制御信号、または、ある別のクローズドループ制御信号であることができる。動作は、ステップ３０４からステップ３０６に進む。ステップ３０６において、第１の通信デバイスＡ １０２は、第１のパラメータのセットにおけるパラメータにしたがって動作するように第１の通信デバイスを調整するために、第２のデバイス、たとえば、アクセスルータＣ １０６から受信された信号１２０に基づいて、調整動作を行う。いくつかの実施形態において、調整は、第１の通信デバイスの周波数調整または第１の通信デバイスのタイミング調整のうちの少なくとも１つである。タイミングおよび／または周波数の調整は、電圧制御された発振器を制御するために使用される電圧を変更することによって行われることができる。調整は、それが第１のセットにおける１つ以上の通信パラメータにしたがって動作するように、第１の通信デバイスＡ １０２の動作を変更する。第１のパラメータのセットは、たとえば、第１の周波数帯域において通信するために、たとえば、通信を制御するために、使用される通信パラメータのリストであることができる。第１のパラメータのセットは、サンプリングレートのパラメータ、トーンスペーシングのパラメータ、周波数帯域のパラメータ、等といったパラメータを含むことができる。
【００３０】
動作は、ステップ３０６から、オプションとして行われうるオプションのステップ３０８へ進む。オプションのステップ３０８において、トラフィックデータが、第３の通信デバイスＢ １０４へのデータの通信に先立って、信号、たとえば、信号１２０が受信された第２の通信デバイスＣ １０６に、第１の周波数帯域において、通信される。ステップ３０８は、たとえば、第１のデバイスＡ １０２が第２の通信デバイス１０６へ通信するトラフィックデータを有しない場合には、省くこともできる。動作は、オプションのステップ３０８が行われた場合には、ステップ３０８からステップ３１０へ、または、オプションのステップ３０８が省かれた場合には、直接ステップ３０６からステップ３１０へ、進む。
【００３１】
ステップ３１０において、第１の通信デバイスＡ １０２は、第１の動作モードと第２の動作モードから選択し、第１の動作モードは、第１の周波数帯域において通信するときに、第１の通信デバイス１０２を動作するために、第１のパラメータのセットを使用することを含み、第２の動作モードは、第２の周波数帯域において通信するときに、第１の通信デバイス１０２を動作するために、第２のパラメータのセットを使用することを含み、第２のパラメータのセットは、第１のパラメータのセットと既定の関係を有する。いくつかの実施形態において、第１の動作モードは、第１の周波数帯域における通信がサポートされる通信動作モードであり、第２の動作モードは、第２の周波数帯域における通信がサポートされる通信動作モードである。上述されたように、いくつかの実施形態において、第１の周波数帯域は、ＷＡＮ通信周波数帯域である一方、第２の帯域は、ＬＡＮ通信周波数帯域である。第１および第２の周波数帯域は、いくつかの実施形態において重複していない。
【００３２】
ステップ３１０における第１の動作モードと第２の動作モードからの選択に続き、動作はステップ３１２に進み、（ステップ３１０において選択された）選択動作モードが現在の動作モードであるかどうかの判定が行われる。なお、現在の動作モードは、最初、第１の通信デバイス１０２の初期設定の段階の間は、第１の動作モードに設定された。しかしながら、時間の経過とともに、現在の動作モードは、第１の動作モードから変更されうる。ステップ３１２における判定に基づき、動作は、ステップ３１４またはステップ３１８に進む。その結果、判定ステップ３１２が、選択されたモードが現在の動作モードでないと判定した場合、動作はステップ３１４に進む。これは、たとえば、現在のモードが第１の動作モードであり、第２の動作モードがステップ３１０で選択されるような場合でありうる。しかしながら、選択されたモードが実際に現在の動作モードであると、ステップ３１２で判定された場合には、動作はステップ３１８に進む。
【００３３】
ステップ３１４において、第１の通信デバイスＡ １０２は、現在の動作モードが選択された動作モードと異なる場合に、既定の関係にしたがって、少なくとも１つのデバイスの設定を変更する。例として、現在のモードが、第１のモードにおける動作に関連づけられた第１のパラメータのセットを有する第１のモードに設定されたシナリオを考える。現在、第２の動作モードが選択されている場合には、処理ステップ３１４において、デバイスの設定変更が、第１の通信デバイスＡ １０２が第２のパラメータのセットにしたがって第２の動作モードで動作するように、行われる。いくつかの実施形態において、少なくとも１つのデバイスの設定変更は、発振器のレート（oscillator rate）変更、タイミングの変更、または周波数の変更のうちの１つである。必ずしもすべてではないが、いくつかの実施形態において、この変更は、第１および第２のセットにおけるパラメータ間の既定の差分を表す整数の倍数による、デバイスにおける制御パラメータの変更を含む。このように、第１の通信デバイス１０２の動作は、必ずしもすべてではないが、少なくともいくつかの実施形態において、第１のパラメータのセットにおける対応するパラメータの整数の倍数である量だけ、少なくとも１つのデバイス設定変更を行うことによって、変更されうる。たとえば、第１のモードから第２のモードに動作を変更するために、現在のモードにおける発振器のレートは、たとえば、第１のモードにおける動作のために使用される発振器のレートがＸであると仮定すると、Ｘから２Ｘに変更されうる。いくつかの実施形態において、ステップ３１４において少なくとも１つのデバイス設定変更を行うことは、現在の動作モードから選択された動作モードへのスイッチを行うために、既定の関係に基づいた量だけ、第１の通信デバイスの動作を制御するために使用される少なくとも１つの制御パラメータを変更することを含むサブステップ３１６を行うことを、さらに含むこともある。このように、現在の動作モード、たとえば、第１のモードから、選択されたモード、たとえば、第２のモードへのスイッチングを行うために制御パラメータが変更されるべき量（たとえば、２倍、３倍、等）は、第１のパラメータのセットおよび第２のパラメータのセット間の既定の関係に基づく。
【００３４】
動作は、ステップ３１４からステップ３１７に進み、現在の動作モードは、更新され、選択された動作モードに設定される。動作は、ステップ３１７からステップ３１８に進む。
【００３５】
ステップ３１８において、現在の動作モードが第１の動作モードであるかどうかの判定がなされる。現在の動作モードが第１の動作モードではないとステップ３１８で判定された場合には、動作は、ステップ３１８からステップ３２０に進む。現在の動作モードが第１のモードではないという判定は、第１の通信デバイスＡ １０２の動作モードが第２のモードであることを意味する。ステップ３２０において、第１の通信デバイスＡ １０２は、第２の動作モードにおいて、第３の通信デバイスＢ １０４と通信し、その通信は、（たとえば、ステップ３０６で行われた）第１の通信デバイスの周波数調整および第１の通信デバイスのタイミング調整のうちの少なくとも１つ、および、たとえば、ステップ３１４において行われた、少なくとも１つのデバイスの設定変更にしたがう。第２の動作モードにおいて第３のデバイスＢ １０４と通信することは、たとえば、第２の周波数帯域を使用して第３の通信デバイスＢ １０４にトラフィックデータを送信することを含みうる。動作は、ステップ３２０からステップ３０４に戻り、動作は継続しうる。
【００３６】
しかしながら、現在の動作モードが第１の動作モードであるとステップ３１８において判定された場合には、動作はステップ３１８からステップ３２２に進む。ステップ３２２において、第１のモードで動作する第１の通信デバイスＡ １０２は、第２の通信デバイス、たとえば、アクセスルータＣ １０６に、第１の周波数帯域において、トラフィックデータを送信する。トラフィックデータの送信は、たとえば、第１の通信デバイスＡ １０２にアクセスルータＣ １０６によって以前に通信された可能性のある送信要求応答信号に対応しうる。動作は、ステップ３２２からステップ３０４に戻る。
【００３７】
図４は、ある例示的な実施形態に係る、例示的な通信デバイス４００の図である。通信デバイス４００は、少なくとも１つの実施形態において、ピアツーピア通信をサポートし、かつ、図３のフローチャート３００に係る方法を実現する移動無線端末であることができる。通信デバイス４００は、図１の第１の通信デバイスＡ １０２として使用されることもできる。通信デバイス４００は、さまざまな要素（４０２、４０４）がデータおよび情報を交換することのできるバス４０９を介して、ともに結合されるプロセッサ４０２およびモリ４０４を含む。通信デバイス４００は、図示のごとくプロセッサ４０２に結合されうる入力モジュール４０６および出力モジュール４０８をさらに含む。しかしながら、いくつかの実施形態において、入力モジュールおよび出力モジュール４０６、４０８は、プロセッサ４０２の内部に位置する。入力モジュール４０６は、入力信号を受信可能である。入力モジュール４０６は、入力を受信するための、無線受信機および／または有線または光入力インターフェースを含むことができ、および、いくつかの実施形態において含む。出力モジュール４０８は、出力を送信するための、無線送信機および／または有線または光出力インターフェースを含むことができ、および、いくつかの実施形態において含む。
【００３８】
いくつかの実施形態において、プロセッサ４０２は、第１の動作モードと第２の動作モードから選択し、第１の動作モードは、第１の周波数帯域において通信するときに、第１の通信デバイス４００を動作するために、第１のパラメータのセットを使用し、第２の動作モードは、第２の周波数帯域において通信するときに、第１の通信デバイス４００を動作するために、第２のパラメータのセットを使用し、第２のパラメータのセットは、第１のパラメータのセットと既定の関係を有し、現在の動作モードが、選択された動作モードと異なる場合に、既定の関係にしたがって、少なくとも１つのデバイスの設定を変更する、ように構成されている。いくつかの実施形態において、プロセッサ４０２は、現在の動作モードから選択された動作モードへのスイッチを行うために、既定の関係に基づいた量だけ、通信デバイスの動作を制御するために使用される少なくとも１つの制御パラメータを変更するように、さらに構成されている。いくつかの実施形態において、少なくとも１つのデバイス設定変更は、発振器のレート変更、タイミングの変更、または周波数の変更のうちの１つであり、この変更は、第１のパラメータのセットにおける対応するパラメータの整数の倍数によるものである。いくつかの実施形態において、第１の動作モードは、第１の周波数帯域における通信がサポートされた通信動作モードであり、第２の動作モードは、第２の周波数帯域における通信がサポートされた通信動作モードである。
【００３９】
プロセッサ４０２は、第１のパラメータのセットにおけるパラメータにしたがって動作するように第１の通信デバイスを調整するために、第２の通信デバイスから第１の周波数帯域において受信された信号に基づいて、調整動作を行うように、さらに構成されている。少なくともいくつかの実施形態において、調整は、第１の通信デバイスの周波数調整動作、または第１の通信デバイスのタイミング調整のうちの少なくとも１つである。いくつかの実施形態において、選択された動作モードが第２の動作モードである場合に、プロセッサ４０２は、第２の動作モードにおいて動作しながら、第３の通信デバイス、たとえば、通信デバイスＢ １０４と通信するようにさらに構成されており、この通信は、第１の通信デバイスの周波数調整および第１の通信デバイスのタイミング調整のうちの少なくとも１つと、少なくとも１つのデバイス設定変更にしたがうものである。プロセッサ４０２は、第３の通信デバイスへのデータの通信に先立って、信号が受信された第２の通信デバイス、たとえば、アクセスルータ１０６に、第１の動作モードで動作しながら、第１の周波数帯域において、データを送信するようにさらに構成されていることもある。いくつかの実施形態において、第１および第２の周波数帯域は、重複しない周波数帯域である。いくつかの実施形態において、第１の動作モードは、ワイドエリアネットワーク動作モードであり、第２の動作モードは、ローカルエリアネットワーク動作モードである。いくつかのそのような実施形態において、ローカルエリアネットワーク動作モードは、ピアツーピア動作モードである。
【００４０】
図５は、図４で示された通信デバイスにおいて使用されることができる、および、いくつかの実施形態で使用される、モジュール５００のアセンブリである。アセンブリ５００におけるモジュールは、たとえば、個々の回路として、図４のプロセッサ４０２内のハードウェアにおいて実現可能である。あるいは、モジュールは、ソフトウェアにおいて実現されることもでき、図４に示された通信デバイス４００のメモリ４０４において記憶されることもできる。図４の実施形態では単一のプロセッサ、たとえば、１つのコンピュータとして示されているが、プロセッサ４０２は、１つ以上のプロセッサ、たとえば、複数のコンピュータとして実現されることもできるということが理解されるべきである。
【００４１】
ソフトウェアにおいて実現される場合には、モジュールは、コードを含み、それは、プロセッサ４０２によって実行されるときに、モジュールに対応する機能を行うようにプロセッサを構成する。モジュール５００のアセンブリがメモリ４０４において記憶される実施形態において、メモリ４０４は、モジュールに対応する機能を行うように、少なくとも１つのコンピュータ、たとえば、プロセッサ４０２にさせるためのコード、たとえば、モジュールごとの個々のコードを含むコンピュータ可読媒体を含む、コンピュータプログラム製品である。
【００４２】
完全にハードウェアベースの、または、完全にソフトウェアベースのモジュールが使用されうる。しかしながら、ソフトウェアおよびハードウェアの任意の組み合わせ、（たとえば回路実装型の）モジュールが、機能を実現するために使用されうるということが理解されるべきである。なお、図５に示されたモジュールは、図３の方法のフローチャート３００において示された、対応するステップの機能を行うように、通信デバイス４００、またはその中の要素、たとえば、プロセッサ４０２を、制御および／または構成する。
【００４３】
図５に示されているように、モジュール５００のアセンブリは、通信デバイス４００が初期化される一方で、現在の動作モードを第１の動作モードに設定するためのモジュール５０２と、第２の通信デバイスから第１の周波数帯域で信号を受信するためのモジュール５０３と、第１のパラメータのセットにおけるパラメータにしたがって動作するように通信デバイス４００を調整するために、第２の通信デバイスから第１の周波数帯域で受信された信号に基づいて、調整動作を行うためのモジュール５０４と、第３の通信デバイスへのデータの通信に先立って、信号が受信された第２の通信デバイスに第１の周波数帯域でデータを通信するためのオプションのモジュール５０６と、第１の動作モードと第２の動作モードから選択するためのモジュールであって、第１の動作モードは、第１の周波数帯域で通信するときに、第１の通信デバイスを動作するために第１のパラメータのセットを使用し、第２の動作モードは、第２の周波数帯域で通信するときに、第１の通信デバイスを動作するために第２のパラメータのセットを使用し、第２のパラメータのセットは、第１のパラメータのセットとの既定の関係を有する、モジュール５０８と、選択されたモードが現在の動作モードかどうかを判定するためのモジュール５１０と、現在の動作モードが選択された動作モードと異なる場合に、既定の関係にしたがって、少なくとも１つのデバイス設定変更を行うためのモジュール５１２を含む。いくつかの実施形態において、モジュール５１２は、現在の動作モードから選択された動作モードへのスイッチを行うために、既定の関係に基づいた量だけ、通信デバイスの動作を制御するために使用される少なくとも１つの制御パラメータを変更するためのモジュール５１４を含む。
【００４４】
モジュール５００のアセンブリは、通信デバイスの現在の動作モードを、選択された動作モードに更新するためのモジュール５１６と、デバイスの現在の動作モードが第１の動作モードかどうかを判定するためのモジュール５１８と、第２の動作モードで動作しながら、第３の通信デバイスと通信するためのモジュールであって、該通信が、第１の通信デバイスの周波数調整および第１の通信デバイスのタイミング調整のうちの少なくとも１つと、少なくとも１つのデバイス設定変更にしたがうものであるモジュール５２０と、信号が受信された第２の通信デバイスに、第１の動作モードで動作しながら、第１の周波数帯域でデータを送信するためのモジュール５２２とを、さらに含む。モジュール５００のアセンブリは、受信された信号のサンプリングレートおよび／または送信された信号の周波数を制御するために使用されるサンプリング信号を生成する電圧制御された発振モジュール５２１をさらに含む。電圧制御された発振器５２１に印加される制御電圧は、それが、校正されて、かつ確実に、動作するように、第１の通信デバイスから受信された信号にしたがって調整されることができる。モジュール５００のアセンブリは、記憶された第１および第２のパラメータのセットをさらに含みうる。第１および第２のパラメータのセット５３０、５３２は、サンプリングレート、チップレート、トーンスペーシング、および／または、第１および第２の動作モードのそれぞれにおけるデバイスの動作の制御に使用される他の制御パラメータを含みうる。第２のパラメータのセット５３２は、第１のパラメータのセットから導き出されることができ、および、いくつかの実施形態において導き出される。
【００４５】
さまざまな実施形態の技術は、ソフトウェア、ハードウェア、および／またはソフトウェアとハードウェアの組み合わせを使用して実現されうる。さまざまな実施形態は、装置、たとえば、移動端末等の移動ノード、基地局、通信システムに向けられている。さまざまな実施形態は、方法、たとえば、移動ノード、基地局、通信デバイス、および／または通信システム、たとえば、ホストを制御および／または動作する方法にも向けられている。さまざまな実施形態は、機械、たとえば、コンピュータ、可読媒体、たとえば、ＲＯＭ、ＲＡＭ、ＣＤ、ハードディスク、等にも向けられており、それらは、１つ以上の方法ステップを実現するように機械を制御するための機械可読命令を含む。
【００４６】
開示されたプロセスにおけるステップの特定の順序または階層は例示的なアプローチの一例であることが理解される。デザインの優先性によっては、プロセスにおけるステップの特定の順序または階層が、本開示の範囲内において、並び替えられうるということが理解される。添付の方法クレームは、例示的な順序で、さまざまなステップの要素を提示しており、提示された特定の順序または階層に限定されることは意図しない。
【００４７】
さまざまな実施形態において、ここに説明されたノードは、１つ以上の方法に対応するステップ、たとえば、信号処理、判定ステップ、メッセージ生成、メッセージのシグナリング、スイッチング、受信および／または送信ステップを行うための１つ以上のモジュールを使用して実現される。このように、いくつかの実施形態において、さまざまな特徴は、モジュールを使用して実現される。そのようなモジュールは、ソフトウェア、ハードウェア、またはソフトウェアとハードウェアの組み合わせを使用して実現されうる。上述された方法または方法ステップの多くは、たとえば、１つ以上のノードにおいて上述された方法の全部または一部を実現するように、機械、たとえば、追加のハードウェアを有する、または、有しない汎用コンピュータを制御するための、メモリデバイス、たとえば、ＲＡＭ、フロッピー（登録商標）ディスク等の機械可読媒体に含まれる、ソフトウェア等の機械で実行可能な命令を使用して実現することができる。このように、特に、さまざまな実施形態は、上述された（単数または複数の）方法のステップの１つ以上を行うように、機械、たとえば、プロセッサおよび関連づけられたハードウェアにさせるための、機械で実行可能な命令を含む機械可読媒体に向けられている。いくつかの実施形態は、本願で説明された１つ以上の方法のステップのうちの１つ、複数、またはすべてを行うように構成されたプロセッサを含む、デバイス、たとえば、通信デバイスに向けられている。
【００４８】
いくつかの実施形態において、１つのプロセッサまたは複数のプロセッサ、たとえば、１つ以上のデバイス、たとえば、無線端末等の通信デバイスのＣＰＵが、通信デバイスによって行われるものとして説明された方法のステップを行うように構成されている。このように、すべてではないが、いくつかの実施形態は、プロセッサが含まれたデバイスによって行われる、さまざまな説明された方法のステップの各々に対応するモジュールを含むプロセッサを有する、デバイス、たとえば、通信デバイスに向けられている。すべてではないが、いくつかの実施形態において、デバイス、たとえば、通信デバイスは、プロセッサが含まれたデバイスによって行われる、さまざまな説明された方法のステップの各々に対応するモジュールを含む。モジュールは、ソフトウェアおよび／またはハードウェアを使用して実現されうる。
【００４９】
いくつかの実施形態は、さまざまな機能、ステップ、行為、および／または動作、たとえば、上述された１つ以上のステップを行うように、１つのコンピュータまたは複数のコンピュータにさせるためのコードを含む、コンピュータ可読媒体、たとえば、物理媒体を含むコンピュータプログラム製品に向けられている。本実施形態によると、コンピュータプログラム製品は、行われる各ステップについて異なるコードを含むことができる、および、含むこともある。このように、コンピュータプログラム製品は、方法、たとえば、通信デバイスまたはノードを制御する方法の各個々のステップについてのコードを含むこともできる、および、含むこともある。コードは、ＲＡＭ（ランダムアクセスメモリ）、ＲＯＭ（読み取り専用メモリ）または他のタイプの記憶デバイスといったコンピュータ可読媒体に記憶された、機械、たとえば、コンピュータで実行可能な命令の形態であることもできる。コンピュータプログラム製品に向けられるとともに、いくつかの実施形態は、上述された１つ以上の方法のさまざまな機能、ステップ、行為、および／または動作の１つ以上を実現するように構成されたプロセッサに向けられている。このように、いくつかの実施形態は、ここに説明された方法のステップのいくつか、またはすべてを実現するように構成された、プロセッサ、たとえば、ＣＰＵに向けられている。プロセッサは、たとえば、本願で説明された通信デバイスまたは他のデバイスでの使用のためのものでありうる。
【００５０】
ＯＦＤＭシステムの文脈で説明されているが、さまざまな実施形態の方法および装置の少なくともいくつかは、ＣＤＭＡシステム等の、多くの非ＯＦＤＭおよび／または非セルラーシステムを含む、広範な通信システムに適用可能である。
【００５１】
上述されたさまざまな実施形態の方法および装置の、数多くの追加の変形例が、上記の説明を考慮すると、当業者にとって明らかであろう。そのような変形例は、特許請求の範囲内であると考えられる。方法および装置は、ＣＤＭＡ、直交周波数分割多重（ＯＦＤＭ）、および／または、アクセスノードおよび移動ノード間の無線通信リンクを提供するために使用されうる、さまざまな他のタイプの通信技術とともに使用されることができ、および、さまざまな実施形態で使用される。さまざまな実施形態において、ピアツーピア通信デバイスは、方法を実現するための、ノートブックコンピュータ、携帯情報端末（ＰＤＡ）、または、受信機／送信機回路、および、論理および／またはルーチンを含む他の携帯デバイスとして実現される。
以下に、本願出願の当初の特許請求の範囲に記載された発明を付記する。
［１］第１の動作モードと第２の動作モードから選択することであって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有する、ことと、
現在の動作モードが、選択された動作モードと異なる場合に、前記既定の関係にしたがって、少なくとも１つのデバイスの設定を変更することと
を含む、第１の通信デバイスを動作する方法。
［２］前記第１のパラメータのセットにおけるパラメータにしたがって動作するように前記第１の通信デバイスを調整するために、第２の通信デバイスから前記第１の周波数帯域において受信された信号に基づいて、調整動作を行うこと
をさらに含む、［１］に記載の方法。
［３］前記少なくとも１つのデバイス設定変更を行うことが、
前記現在の動作モードから前記選択された動作モードへのスイッチを行うために、前記既定の関係に基づいた量だけ、通信デバイスの動作を制御するために使用される少なくとも１つの制御パラメータを変更すること
を含む、［１］に記載の方法。
［４］前記調整は、第１の通信デバイスの周波数調整動作、または第１の通信デバイスのタイミング調整のうちの少なくとも１つである、［１］に記載の方法。
［５］前記少なくとも１つのデバイス設定変更が、発振器のレート変更、タイミングの変更、または周波数の変更のうちの１つであり、前記変更が、前記第１のパラメータのセットにおける対応するパラメータの整数の倍数によるものである、［１］に方法。
［６］前記第１の動作モードは、前記第１の周波数帯域における通信がサポートされた通信動作モードであり、
前記第２の動作モードは、第２の周波数帯域における通信がサポートされた通信動作モードである
［５］に記載の方法。
［７］前記選択された動作モードが前記第２の動作モードである場合に、
前記第２の動作モードにおいて動作しながら、第３の通信デバイスと通信することであって、前記第１の通信デバイスの周波数調整および第１の通信デバイスのタイミング調整のうちの少なくとも１つと、前記少なくとも１つのデバイス設定変更にしたがって、通信すること
をさらに含む、［６］に記載の方法。
［８］前記第３の通信デバイスへのデータの通信に先立って、前記信号が受信された前記第２の通信デバイスに、前記第１の動作モードで動作しながら、前記第１の周波数帯域において、データを送信すること
をさらに含む、［７］に記載の方法。
［９］前記第１および第２の周波数帯域が重複しない周波数帯域である、［７］に記載の方法。
［１０］前記第１の動作モードは、ワイドエリアネットワーク動作モードであり、
前記第２の動作モードは、ローカルエリアネットワーク動作モードである
［９］に記載の方法。
［１１］前記ローカルエリアネットワーク動作モードが、ピアツーピア動作モードである、［９］に記載の方法。
［１２］第１の動作モードと第２の動作モードから選択し、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有し、
現在の動作モードが、選択された動作モードと異なる場合に、前記既定の関係にしたがって、少なくとも１つのデバイスの設定を変更する
ように構成された、少なくとも１つのプロセッサと、
前記少なくとも１つのプロセッサに結合されたメモリと
を含む、第１の通信デバイス。
［１３］前記少なくとも１つのプロセッサが、
前記第１のパラメータのセットにおけるパラメータにしたがって動作するように前記第１の通信デバイスを調整するために、第２の通信デバイスから前記第１の周波数帯域において受信された信号に基づいて、調整動作を行う
ようにさらに構成されている、［１２］に記載の第１の通信デバイス。
［１４］前記少なくとも１つのプロセッサが、
前記現在の動作モードから前記選択された動作モードへのスイッチを行うために、前記既定の関係に基づいた量だけ、通信デバイスの動作を制御するために使用される少なくとも１つの制御パラメータを変更する
ようにさらに構成されている、［１２］に記載の第１の通信デバイス。
［１５］前記調整は、第１の通信デバイスの周波数調整動作、または第１の通信デバイスのタイミング調整のうちの少なくとも１つである、［１２］に記載の第１の通信デバイス。
［１６］前記少なくとも１つのデバイス設定変更が、発振器のレート変更、タイミングの変更、または周波数の変更のうちの１つであり、前記変更が、前記第１のパラメータのセットにおける対応するパラメータの整数の倍数によるものである、［１２］に記載の第１の通信デバイス。
［１７］前記第１の動作モードは、前記第１の周波数帯域における通信がサポートされた通信動作モードであり、
前記第２の動作モードは、第２の周波数帯域における通信がサポートされた通信動作モードである
［１６］に記載の第１の通信デバイス。
［１８］前記選択された動作モードが前記第２の動作モードである場合に、前記少なくとも１つのプロセッサが、
前記第１の通信デバイスの周波数調整および第１の通信デバイスのタイミング調整のうちの少なくとも１つと、前記少なくとも１つのデバイス設定変更にしたがって、前記第２の動作モードにおいて動作しながら、第３の通信デバイスと通信する
ようにさらに構成されている、［１７］に記載の第１の通信デバイス。
［１９］前記少なくとも１つのプロセッサが、
前記第３の通信デバイスへのデータの通信に先立って、前記信号が受信された前記第２の通信デバイスに、前記第１の動作モードで動作しながら、前記第１の周波数帯域において、データを送信する
ようにさらに構成されている、［１８］に記載の第１の通信デバイス。
［２０］第１の動作モードと第２の動作モードから選択するための手段であって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有する、手段と、
現在の動作モードが、選択された動作モードと異なる場合に、前記既定の関係にしたがって、少なくとも１つのデバイスの設定を変更するための手段と
を含む、第１の通信デバイス。
［２１］前記第１のパラメータのセットにおけるパラメータにしたがって動作するように前記第１の通信デバイスを調整するために、第２の通信デバイスから前記第１の周波数帯域において受信された信号に基づいて、調整動作を行うための手段
をさらに含む、［２０］に記載の第１の通信デバイス。
［２２］前記少なくとも１つのデバイス設定変更を行うための手段が、
前記現在の動作モードから前記選択された動作モードへのスイッチを行うために、前記既定の関係に基づいた量だけ、通信デバイスの動作を制御するために使用される少なくとも１つの制御パラメータを変更するための手段
を含む、［２０］に記載の第１の通信デバイス。
［２３］前記調整は、第１の通信デバイスの周波数調整動作、または第１の通信デバイスのタイミング調整のうちの少なくとも１つである、［２０］に記載の第１の通信デバイス。
［２４］前記少なくとも１つのデバイス設定変更が、発振器のレート変更、タイミングの変更、または周波数の変更のうちの１つであり、前記変更が、前記第１のパラメータのセットにおける対応するパラメータの整数の倍数によるものである、［２０］に記載の第１の通信デバイス。
［２５］前記第１の動作モードは、前記第１の周波数帯域における通信がサポートされた通信動作モードであり、
前記第２の動作モードは、第２の周波数帯域における通信がサポートされた通信動作モードである
［２４］に記載の第１の通信デバイス。
［２６］前記選択された動作モードが前記第２の動作モードである場合に、前記第１の通信デバイスの周波数調整および第１の通信デバイスのタイミング調整のうちの少なくとも１つと、前記少なくとも１つのデバイス設定変更にしたがって、前記第２の動作モードにおいて動作しながら、第３の通信デバイスと通信するための手段
をさらに含む、［２５］に記載の第１の通信デバイス。
［２７］前記第３の通信デバイスへのデータの通信に先立って、前記信号が受信された前記第２の通信デバイスに、前記第１の動作モードで動作しながら、前記第１の周波数帯域において、データを送信するための手段
をさらに含む、［２６］に記載の第１の通信デバイス。
［２８］第１の動作モードと第２の動作モードから選択するように少なくとも１つのコンピュータにさせるためのコードであって、前記第１の動作モードは、第１の周波数帯域において通信するときに、第１の通信デバイスを動作するために、第１のパラメータのセットを使用し、前記第２の動作モードは、第２の周波数帯域において通信するときに、前記第１の通信デバイスを動作するために、第２のパラメータのセットを使用し、前記第２のパラメータのセットは、前記第１のパラメータのセットと既定の関係を有する、コードと、
現在の動作モードが、選択された動作モードと異なる場合に、前記既定の関係にしたがって、少なくとも１つのデバイスの設定を変更するように前記少なくとも１つのコンピュータにさせるためのコードと
を含む、コンピュータ可読媒体
を含む、第１の通信デバイスにおいて使用するためのコンピュータプログラム製品。
［２９］前記コンピュータ可読媒体が、
前記第１のパラメータのセットにおけるパラメータにしたがって動作するように前記第１の通信デバイスを調整するために、第２の通信デバイスから前記第１の周波数帯域において受信された信号に基づいて、調整動作を行うように、前記少なくとも１つのコンピュータにさせるためのコード
をさらに含む、［２８］に記載のコンピュータプログラム製品。
［３０］前記コンピュータ可読媒体が、
前記現在の動作モードから前記選択された動作モードへのスイッチを行うために、前記既定の関係に基づいた量だけ、通信デバイスの動作を制御するために使用される少なくとも１つの制御パラメータを変更するように、前記少なくとも１つのコンピュータにさせるためのコード
をさらに含む、［２８］に記載のコンピュータプログラム製品。
【図１】
0005437381.tif 000002
【図２】
0005437381.tif 000003
【図３】
0005437381.tif 000004
【図４】
0005437381.tif 000005
【図５】
0005437381.tif 000006